(57)【特許請求の範囲】
【請求項１】
連続状に流れる１粒又はそれ以上の殻付ピスタチオ粒に光を照射する照明手段と、
該照明手段により光が照射された殻付ピスタチオ粒を観察するための受光手段と、
該受光手段により検出された受光量に基づいて、前記殻付ピスタチオ粒の良品・不良品を判定する制御手段と、
該制御手段により判定された良品・不良品の判定結果に基づいて、前記連続状の流れから不良品を除去する除去手段と、を備え、
前記制御手段は、前記受光手段からの画素信号を第１しきい値を利用して２値化処理した後、しきい値TH１と比較する比較器により殻付ピスタチオ粒の殻果の外形の大きさを演算する第１演算処理ユニットと、
前記受光手段からの画素信号を、前記第１しきい値とは異なる第２しきい値を利用して２値化処理した後、しきい値TH3と比較する比較器により殻付ピスタチオ粒内の殻果に生じる裂け目部の大きさを、しきい値TH４と比較する比較器により前記殻付ピスタチオ粒の裂け目部から露出する種子の色をそれぞれ演算する第２演算処理ユニットと、
前記除去手段に除去信号を出力する良品・不良品判定回路とを備えており、
前記しきい値TH１と比較する比較器により殻果の外形の大きさが所定範囲を超えたことを検知し、かつ、前記しきい値TH３と比較する比較器により前記裂け目部の存在が検知されないとき、前記良品・不良品判定回路が当該ピスタチオ粒を未熟粒であると判定して前記除去手段に除去信号を出力するとともに、前記しきい値TH１と比較する比較器により殻果の外形の大きさが所定範囲を超えたことを検知し、次いで、前記しきい値TH３と比較する比較器により殻付ピスタチオ粒内の裂け目部の存在を検知し、さらに、前記しきい値TH４と比較する比較器により前記裂け目部から露出する種子の色が所定範囲を超えたとき、前記良品・不良品判定回路が当該ピスタチオ粒を着色異常と判定して前記除去手段に除去信号を出力することを特徴とする殻付ピスタチオ粒の選別装置。
【請求項２】
前記第１演算処理ユニットには、前記殻付ピスタチオ粒の殻果の色を演算するためのしきい値TH２と比較する比較器をさらに備え、
前記しきい値TH１と比較する比較器により殻果の外形の大きさが所定範囲を超えたことを検知し、次いで、前記しきい値TH２と比較する比較器により前記殻果の色が所定範囲を超えたとき、前記良品・不良品判定回路が当該ピスタチオ粒を着色異常と判定して前記除去手段に除去信号を出力してなる請求項１記載の殻付ピスタチオ粒の選別装置。
【発明の詳細な説明】
【技術分野】
【０００１】
本発明は、殻付ピスタチオ粒の良品・不良品を精度よく判別し、良品から不良品及び異物を選別することができる殻付ピスタチオ粒の選別装置に関する。
【背景技術】
【０００２】
従来、豆類を選別対象物とした光学的な選別装置として、豆の表面からの反射光を利用して不良豆である未熟豆、虫食い豆等を選別することができる選別装置（特許文献１参照）や、複数の波長の光を照射してナッツ類の内部が変質しているが表面が変質していない不良豆を選別することができる選別装置（特許文献２参照）が知られている。
【０００３】
しかし、上記周知の選別装置にあっては、主として大豆やピーナッツ等のマメ科植物が選別対象であり、硬質の殻付のピスタチオ（ウルシ科のピスタチオノ木の種子）はあまり選別対象とはならなかった。すなわち、ピスタチオは、成熟すると殻果の一辺に裂け目が生じ、この裂け目から種子がわずかに露出した独特の形状となる。この熟した種子を殻果ごと焙煎した後、塩味をつけたものを酒類のつまみ、スナック菓子等として食用するのである。そして、裂け目からわずかに露出した種子は緑色の濃いものの方が上等とされる。このような殻付のピスタチオの独特の形状、及び裂け目から露出する種子の色が緑色の濃いものが上等であるといった人為的に定めた等級基準によって、光学的選別を不得手とするのである。つまり、殻果が裂けていない未熟粒を良品としたり、また、緑色の濃い種子をカビ類として不良品と判定するといった選別不良が生じ、選別精度が劣るという問題点があった。
【特許文献１】特開昭６３−２００８７８号公報
【特許文献２】特公平６−３４９７４号公報
【発明の開示】
【発明が解決しようとする課題】
【０００４】
本発明は上記問題点にかんがみ、殻付のピスタチオの独特の形状、及び裂け目から露出する種子の色といった人為的に定めた基準であっても、精度よく選別することができる殻付ピスタチオ粒の選別装置を提供することを技術的課題とする。
【課題を解決するための手段】
【０００５】
上記課題を解決するため本発明は、連続状に流れる１粒又はそれ以上の殻付ピスタチオ粒に光を照射する照明手段と、該照明手段により光が照射された殻付ピスタチオ粒を観察するための受光手段と、該受光手段により検出された受光量に基づいて、前記殻付ピスタチオ粒の良品・不良品を判定する制御手段と、該制御手段により判定された良品・不良品の判定結果に基づいて、前記連続状の流れから不良品を除去する除去手段と、を備え、前記制御手段は、前記受光手段からの画素信号を第１しきい値を利用して２値化処理した後、しきい値TH１と比較する比較器により殻付ピスタチオ粒の殻果の外形の大きさを演算する第１演算処理ユニットと、前記受光手段からの画素信号を、前記第１しきい値とは異なる第２しきい値を利用して２値化処理した後、しきい値TH3と比較する比較器により殻付ピスタチオ粒内の殻果に生じる裂け目部の大きさを、しきい値TH４と比較する比較器により前記殻付ピスタチオ粒の裂け目部から露出する種子の色をそれぞれ演算する第２演算処理ユニットと、前記除去手段に除去信号を出力する良品・不良品判定回路とを備えており、前記しきい値TH１と比較する比較器により殻果の外形の大きさが所定範囲を超えたことを検知し、かつ、前記しきい値TH３と比較する比較器により前記裂け目部の存在が検知されないとき、前記良品・不良品判定回路が当該ピスタチオ粒を未熟粒であると判定して前記除去手段に除去信号を出力するとともに、前記しきい値TH１と比較する比較器により殻果の外形の大きさが所定範囲を超えたことを検知し、次いで、前記しきい値TH３と比較する比較器により殻付ピスタチオ粒内の裂け目部の存在を検知し、さらに、前記しきい値TH４と比較する比較器により前記裂け目部から露出する種子の色が所定範囲を超えたとき、前記良品・不良品判定回路が当該ピスタチオ粒を着色異常と判定して前記除去手段に除去信号を出力する、という技術的手段を講じた。
【０００６】
また、前記第１演算処理ユニットには、前記殻付ピスタチオ粒の殻果の色を演算するためのしきい値TH２と比較する比較器をさらに備え、前記しきい値TH１と比較する比較器により殻果の外形の大きさが所定範囲を超えたことを検知し、次いで、前記しきい値TH２と比較する比較器により前記殻果の色が所定範囲を超えたとき、前記良品・不良品判定回路が当該ピスタチオ粒を着色異常と判定して前記除去手段に除去信号を出力構成にするとよい。
【発明の効果】
【０００７】
請求項１記載の発明によれば、第１演算処理ユニットのしきい値TH１と比較する比較器により殻付ピスタチオの殻果の外形の大きさが演算されるとともに、第２演算処理ユニットのしきい値TH3と比較する比較器により殻付ピスタチオ粒内の殻果に生じる裂け目部の大きさが演算され、さらに、良品・不良品判定回路により当該殻付ピスタチオ粒内の裂け目部の有無が検知されるので、裂け目部が無いと検知されたものは未熟粒として不良品判定することができ、殻果に裂け目を有するピスタチオ独特の形状であっても、良品・不良品を精度よく選別することができる。
【０００８】
また、第２演算処理ユニットのしきい値TH４と比較する比較器により殻付ピスタチオ粒の裂け目部から露出する種子の色を演算することが可能となり、良品・不良品判定回路においては、殻付ピスタチオ粒内の裂け目部の存在を検知し、かつ、該裂け目部から露出する種子の色が所定範囲を超えたときに、当該殻付ピスタチオ粒を着色異常と判定することができる。これにより、裂け目部から露出する種子は緑色の濃いものが上等である、といったピスタチオ独特の等級基準であっても、精度よく選別することができる。また、しきい値TH3と比較する比較器により裂け目部の存在を検知した後、しきい値TH４と比較する比較器により当該裂け目部分の色を検知するという手順を踏んでいるから、緑色の濃い部分の存在をカビ類として誤認識することがなくなる。
【発明を実施するための最良の形態】
【０００９】
以下、本発明を実施するための最良の形態を図面を参照して説明する。
【００１０】
図１は本発明の選別装置に係る概略断面図である。
【００１１】
図１に示すように、選別装置１は、機枠２内に、供給ホッパー３、フィーダ4及び湾曲状シュート５からなる供給部６と、該供給部６から供給された被選別物を一定流量で、かつ、一定速度で搬送する無端状のベルトコンベア７、及び被選別物の転がりを防止するために被選別物を押し付けるための押し付けローラ８からなる搬送部９と、該搬送部９から放出される被選別物の放物線軌跡Ｌを挟んで設けられる光学検出部１０と、該光学検出部１０により検出された不良品又は混入する異物の検出結果に基づいて当該不良品を放物線軌跡Ｌより除外する除去部１１と、該除去部１１の下流側の前記放物線軌跡Ｌ上の良品を回収する良品回収樋１２と、前記放物線軌跡Lよりも下方に設けられ、前記除去部１１によって放物線軌跡Lから除外される不良品又は異物を回収する不良品回収樋１３とを備えている。また、前記良品回収樋１２下方には、回収された良品を次工程に搬送する良品ベルトコンベア１４が備え付けられている。
【００１２】
前記搬送部９のベルトコンベア7は、機枠２内に回転可能に設けたローラ１５，１６に無端状のベルトを架け渡し、ローラ１５をＶベルト等によりモータと連絡して（ともに図示せず）、一定速度で回転するように構成する。ベルトコンベア７上面（搬送面）には、押し付けローラ８がベルト７の移送に伴って回転するように回転可能に取り付けられている。
【００１３】
前記ベルトコンベア７の始端側には、フィーダ４の樋端部４ａと連絡した湾曲状シュート５下端を臨ませる一方、ベルトコンベア７の終端側からは、横方向に放出される被選別物の放物線軌跡Ｌからなる流下路を形成する。そして、該放物線軌跡Ｌの中途に光学検出部１０が設けられることになる。すなわち、被選別物の表面側を観察するための第１検出部１０Ａと、被選別物の裏面側（搬送部９においてベルトコンベア７と接していた面）を観察するための第２検出部１０Ｂとを、放物線軌跡Ｌを挟んで配設する。
【００１４】
前記第１検出部１０Ａは、被選別物の表面側を照明する長尺状の複数のLED光源１８…及び該複数のLED光源１８…を覆う光源ハウジング１９…からなる第１照明手段と、被選別物の表面側を観察するためのＣＣＤラインセンサー２０Ａと、第２検出部１０Ｂに設けられる第１バックグラウンド２１Ａと、により構成される。一方、第２検出部１０Ｂは、被選別物の裏面側を照明する長尺状の複数のLED光源１８…及び該複数のLED光源１８…を覆う光源ハウジング１９…からなる第２照明手段と、被選別物の裏面側を観察するためのＣＣＤラインセンサー２０Ｂと、第１検出部１０Ａに設けられる第２バックグラウンド２１Ｂと、から構成される。前記LED光源１８…は、LEDに限定されることはなく、蛍光灯、ハロゲンランプ、レーザー光源など適宜選択することができる。
【００１５】
前記第１照明手段、ＣＣＤラインセンサー２０Ａ、及び第２バックグラウンド２１Ｂは、ほぼ密閉状の光学ボックス１７Ａ内に内装され、前記第２照明手段、ＣＣＤラインセンサー２０Ｂ、及び第１バックグラウンド２１Ａは、ほぼ密閉状の光学ボックス１７Ｂ内に内装されている。光学ボックス１７Ａ，１７Ｂがそれぞれ対向する面には、透明ガラス板２２，２２が設けられ、LED光源１８からの照射光が透明ガラス板２２，２２を透過して放物線軌跡上の検査範囲Ｋに位置する被選別物に照射されるとともに、ＣＣＤラインセンサー２０Ａ，２０Ｂによって被選別物からの透過光又は反射光が検出されることになる。また、光学検出ボックス１７Ｂには、第２検出部１０Ｂの塵埃等の悪影響を受けないよう、ボックス内に混入した塵埃等を吸引・除去する吸引パイプ２３を設けている。該吸引パイプ２３の配置をボックス１７B内に限定することはなく、不良品回収樋１３内に配置して除去部１１により除去された不良品に混入する塵埃等を吸引・除去する構成としてもよい。
【００１６】
前記光学検出部１０Ａ，１０Ｂ下流側の放物線軌跡Ｌには、ＣＣＤラインセンサー２０Ａ，２０Ｂの検出結果に対応して作動するエジェクター１１を連設する。エジェクター１１は図外のエアコンプレッサーに接続されるとともに、各エジェクター１１のそれぞれに設けた電磁弁（図示せず）によって高圧空気が噴射するよう、ＣＣＤラインセンサー２０Ａ，２０Ｂと、これに対応するエジェクター１１における電磁弁作動回路（図３参照）とを電気的に接続するとよい。また、エジェクター１１の下方、すなわち、エジェクター１１の噴射口の延長線と放物線軌跡Ｌとが交わる除去位置ｅの直下に、不良品回収樋１３が設けられる。一方、放物線軌跡Ｌの流下方向に良品回収樋１２が設けられる。
【００１７】
前記良品回収樋１２には傾斜した前面壁１２ａが設けられ、該前面壁１２ａには傾斜上部に把手部３４が、傾斜下端部に長蝶番２４がそれぞれ設けられており、該良品回収樋１２の内部を露出させて樋内のメンテナンスが可能な構成となっている。すなわち、作業者が手で把手部２５を持ち、長蝶番２４を中心にして手前方向（図１に示す一点鎖線の位置）へ回動すれば、前面壁１２ａ部分を開口させることができる。符号２５は、不良品回収樋１３下方に設置される不良品回収容器である。
【００１８】
なお、選別装置１は、上記のようなベルトコンベア式選別装置のほか、図２に示すように、供給ホッパー３に投入された被選別物を、振動装置１０１によってばら状に拡散した後、傾斜したシュート１０２に供給し、該シュート１０２下端から重力により自由落下させて光学検出部１０に通過させる形式のシュート式選別装置とすることもできる。
【００１９】
図３は、選別装置１のＣＣＤラインセンサーの信号処理を行う制御回路のブロック図である。ＣＣＤラインセンサー２０は、一列に１２８又は２５６，５１２，１０２４個等の画素を備え、その各々から電荷を取得する半導体素子である。これに限定されることはなく、ラインセンサーを複数列に並べて、一定速度で移動する対象物に対して、その移動方向・速度とCCDの電荷転送方向・速度を合わせた撮像を行うＴＤＩ（Time Delay Integration）カメラを使用してもよい。
【００２０】
そして、ＣＣＤラインセンサー２０の電流出力端子は、増幅回路２７に接続されるとともに、該増幅回路２７からは、画像処理回路３９内にある、あらかじめ設定した電圧レベルと比較して殻付ピスタチオ粒の外形の大きさ（一粒全体の殻の面積）を演算するとともに、該殻の色を演算する第１演算処理ユニット２８と、前記電圧レベルとは異なる電圧レベルを利用して、殻付ピスタチオ粒の殻果に生じる裂け目部分から露出した種子の大きさ（面積）を演算するとともに、該種子の色を演算する第２演算処理ユニット２９とに分岐して接続される。
【００２１】
前記第１演算処理ユニット２８及び第２演算処理ユニット２９には、それぞれにＣＣＤラインセンサー２０から入力される走査ライン分の画像データを記憶するメモリ３１ａ，３１ｂが備えられるとともに、前記第１演算処理ユニット２８には、殻付ピスタチオ粒の殻の明るさに関し、しきい値TH１と比較する比較器３２及びしきい値TH2と比較する比較器３３を備える。一方、前記第２演算処理ユニット２９には、裂け目部分から露出した種子の明るさに関し、しきい値TH3と比較する比較器３４及びしきい値TH4と比較する比較器３５を備える。前記比較器３２及び３４からの出力値を加算処理すれば、殻付ピスタチオ粒の外形の大きさ及び殻の裂け目部分から露出した種子の大きさ（面積）を演算することができる。
【００２２】
また、前記比較器３３及び比較器３５の出力値をRGB色空間などのしきい値を利用して演算処理すれば、殻の色及び種子の色を演算することができる。
【００２３】
前記各比較器３２，３３，３４，３５からの電流出力端子は、良品・不良品判定回路３６に接続する一方、該良品・不良品判定回路３６からは、遅延回路３７を介してエジェクター１１を制御するバルブ駆動回路３８に接続されている。
【００２４】
以下、上記構成における本実施形態の作用を説明する。原料となる殻付ピスタチオ粒を供給ホッパー３に投入し、フィーダ４及びベルトコンベア７を駆動させると、殻付ピスタチオ粒はフィーダ４及び湾曲状シュート５を介して適量ずつベルトコンベア７上に供給される。ベルトコンベア上に供給された殻付ピスタチオ粒は、押し付けローラ８によって均（なら）されて、薄い層厚状態でベルトコンベア７終端部に搬送される。ベルトコンベア７は約２．８ｍ／ｓで駆動しており、搬送終端部から放出される殻付ピスタチオ粒は、図１中Ｌで示すように放物線軌跡を描き、一対の光学検出部１０Ａ，１０Ｂを通過する。このとき、殻付ピスタチオ粒の表面側及び裏面側を照明する複数のLED光源１８…、複数のＣＣＤラインセンサー２０Ａ，２０Ｂ、及びバックグラウンド２１Ａ，２１Ｂにより、通過中の殻付ピスタチオ粒の不良箇所の検出や、殻付ピスタチオ粒に混入する異物の有無の検出が行われる。
【００２５】
図４に示すように、図面右から殻が変色した不良品、殻果の一辺に裂け目のない未熟の不良品、殻果の裂け目から種子が露出する成熟した良品、及び殻果の裂け目から種子が露出しているが変色した不良品の４粒が、検出位置Kを通過すると仮定すれば、各粒の通過により受光量が変化することに伴い、電圧レベルが変化する（図４の(a)の信号）。
【００２６】
ここで、時刻ｔ１のときに、ＣＣＤラインセンサー２０の走査に関して、しきい値TH1を設定しておくと、(a)の信号がしきい値TH1よりも大きい場合に二値化処理され、この信号が殻付ピスタチオの殻果Kの幅方向の長さとして検出される（図４の(ｂ)の矩形状の信号）。時刻ｔ２のときも同様に、殻果Kの幅方向の長さが検出されるが、穀粒が流下しているため、粒の尖（とが）った箇所が検出される。このとき、穀粒の流下方向において重なりが生じるように走査し、この信号を加算処理すると、殻付ピスタチオ粒の外形の大きさ（一粒全体の殻の面積）の画像を取得することができる。
【００２７】
また、ＣＣＤラインセンサー２０の走査に関して、しきい値TH3を設定しておくと、(a)の信号がしきい値TH3よりも大きい場合に二値化処理され、この信号が種子Ｓの幅方向の長さとして検出され（図４の(ｃ)の矩形状の信号）、上記同様の演算処理を行うと、種子Ｓの大きさ（面積）の画像を取得することができる。
【００２８】
そして、殻付ピスタチオ粒の外形の大きさ（一粒全体の殻の面積）に占める種子Ｓの大きさ（面積）を演算すると、例えば、殻果の裂け目から種子が露出した成熟した良品（図４の図面右から３番目）と、殻果の一辺に裂け目のない未熟の不良品（図４の図面右から２番目）とを識別し、分別することが可能となる。このような大きさを比較する方法に限定されず、比較器３２及び比較器３４からの出力値の論理演算処理により未熟粒と良品とを識別し、分別することも可能である。
【００２９】
次に、ＣＣＤラインセンサー２０の走査に関し、比較器３３においてしきい値TH２を設定しておくと、良・不良判定回路３６において殻付ピスタチオの殻果Kの色情報を検出することができる（図４の(ｃ)の矩形状の信号）。すなわち、しきい値TH1からしきい値TH2までの範囲内で（ａ)の信号が検出された場合は、殻果Kの色が正常であると認識され（図４の図面左から１番目、２番目及び３番目の３粒）、しきい値TH１からしきい値TH2までの範囲を超えて(ａ)の信号が検出された場合は、殻果Kの色が不良であると認識される（例えば、図４の図面右から１番目）。
【００３０】
さらに、ＣＣＤラインセンサー２０の走査に関し、比較器３５にしきい値TH４を設定しておくと、良・不良判定回路３６において種子Ｓの色情報を検出することができる（図４の(ｅ)の矩形状の信号）。すなわち、しきい値TH3からしきい値TH4までの範囲内で（ａ)の信号が検出された場合は、種子Ｓの色が正常であると認識され（図４の図面左から２番目）、しきい値TH3からしきい値TH4までの範囲を超えて(ａ)の信号が検出された場合は、種子Ｓの色が不良であると認識される（例えば、図４の図面左から１番目）。
【００３１】
以上のように良品・不良品判定回路３６においては、殻付ピスタチオ粒に特有の殻果Kの大きさ及び色、並びに種子Sの大きさ及び種子Ｓ部分の緑色の濃淡を基準に設定される。また、良・不良判定回路３６に、図示しない表示装置等を備えた場合は、作業者らに画像を提供することが可能となる。
【００３２】
図５は良品・不良品判定のフローチャートである。良品・不良品判定（Ｓ１）では、まず、殻果Kの１粒全体の大きさと所定値とを比較し（例えば、図４の(ｂ)の矩形の幅よりも大きいか小さいかを比較する。）、当該被選別物が殻付ピスタチオ粒であるか又は粒の小さい石などの異物であるかが判定され、殻付ピスタチオ粒であった場合には、全体に外形異常があるか否か又は表面に凹み等の異常があるか否かが検知される（Ｓ２）。異物及び外形異常があった場合、不良品と判定される。
【００３３】
次に、殻果Kの１粒全体について着色不良部があるか否かが判定される（Ｓ３）。着色不良部があった場合、不良品と判定される。
【００３４】
さらに、殻果に生じる裂け目部（種子Ｓ）の大きさが演算される（Ｓ４）。種子Ｓの大きさが検知されない場合には、当該殻付ピスタチオ粒を未熟粒と判定して不良品扱いとする。
【００３５】
そして、種子Ｓの存在を検知すると、色に関するしきい値TH4を利用して種子Ｓの色が演算される。すなわち、種子Ｓの色がTH3からTH4の範囲内であるか否かが比較され、緑色の濃淡が判定される（Ｓ５）。種子Ｓの色が所定範囲を超えた場合は、種子Ｓの色が着色異常であり、当該殻付ピスタチオ粒を着色異常と判定し、不良品扱いとする。
【００３６】
上記判定処理を行うことで、裂け目部から露出する種子は、緑色の濃いものが上等である、といったピスタチオ独特の等級基準であっても、精度よく選別することができる。また、殻果K、種子Sの大きさを検知し、種子Sの存在を確認した後、種子Sの色を検知するという手順を踏んでいるから、緑色の濃い部分の存在をカビ類として誤認識することがなくなる。
【００３７】
選別すべき不良品（又は異物）の条件が満たされた場合、良品・不良品判定回路３６は、不良品（又は異物）がベルトコンベア７の幅方向のどの位置にあるかを特定するとともに、これに対応するエジェクター１１を作動させるバルブ駆動回路３８に除去信号を出力する。そして、不良品となる殻付ピスタチオ粒は、エジェクター１１の風圧により連続状の流れから吹き飛ばされ、不良品回収樋１３に回収される。
【００３８】
一方、良品と判定された殻付ピスタチオ粒は、良品としてそのまま放物線軌跡Ｌに沿って良品回収樋１２に移送される。
【００３９】
以上のように、本実施形態によれば、殻付ピスタチオ粒の独特の形状、及び裂け目から露出する種子の色といった人為的に定めた等級基準であっても、精度よく選別することができるといった作用・効果がある。
【図面の簡単な説明】
【００４０】
【図１】本発明の選別装置に係る概略縦断面図である。
【図２】シュート式選別装置に係る概略縦断面図である。
【図３】制御回路のブロック図である。
【図４】ＣＣＤラインセンサーの走査処理の模式図である。
【図５】良品・不良品判定処理のフローチャートである。
【符号の説明】
【００４１】
１  選別装置
２  機枠
３  供給ホッパー
４  フィーダ
５  湾曲状シュート
６  供給部
７  ベルトコンベア
８  押し付けローラ
９  搬送部
１０  光学検出部
１１  除去部
１２  良品回収樋
１３  不良品回収樋
１４  良品ベルトコンベア
１５  ローラ
１６  ローラ
１７  光学ボックス
１８  LED光源
１９  光源ハウジング
２０  ＣＣＤラインセンサー
２１  第１バックグラウンド
２２  透明ガラス板
２３  吸引パイプ
２４  長蝶番
２５  把手部
２６  不良品回収容器
２７  増幅回路
２８  第１演算処理ユニット
２９  第２演算処理ユニット
３１  メモリ
３２  比較器
３３  比較器
３４  比較器
３５  画像合成処理回路
３６  良品・不良品判定回路
３７  遅延回路
３８  バルブ駆動回路
３９  画像処理回路
１０１  振動装置
１０２  シュート
【図１】
0005218729.tif 000002
【図２】
0005218729.tif 000003
【図３】
0005218729.tif 000004
【図４】
0005218729.tif 000005
【図５】
0005218729.tif 000006